(57)【要約】【課題】本体内部の収容部において発泡剤の遊動を規制することにより、水面においてバランスを崩すことなく正規の姿勢で進行させることができる玩具を提供すること。【解決手段】水の噴射によって生じる推進力によって水面上を進行させるように構成した推進玩具１であって、収容部４の底部には、外部よりも収容部４内の圧力が低い場合に開いて水の流入を許容し、外部よりも収容部４内の圧力が高い場合に閉じて水の流入を停止させる水取り入れ弁７と、収容した発泡剤３の移動を規制する板片２５および規制部材３３の底壁４３が設けられており、前記収容部４の上部には、前記収容部４内の水位の上昇によって閉じ水位の下降によって開く空気弁１０と、前記収容部４内に取水口１１を有するとともに取り込んだ水を収容部４の外側に向かって噴射する噴射手段１２が設けられていること。【選択図】図１
2005334481.tif 000002
【特許請求の範囲】
【請求項１】
水との接触によって気体を発生する固形状の発泡剤および外部から取り込んだ水を収容する所定容積の収容部を有し、前記発泡剤と水との接触によって発生した気体による圧力によって前記収容部内に取り込んだ水を前記収容部の外側に向かって噴射し、当該水の噴射によって生じる推進力によって水面上を進行させるように構成した推進玩具であって、
前記収容部となる所定容積の空間を内部に有した下部外殻体と、当該下部外殻体の上部に着脱可能に装着される装着体とを有し、
前記下部外殻体の底部には、錘と、外部よりも収容部内の圧力が低い場合に開いて水の流入を許容し、外部よりも収容部内の圧力が高い場合に閉じて水の流入を停止させる水取り入れ弁と、収容した前記発泡剤の移動を規制する規制手段が設けられており、
前記装着体には、当該推進玩具が水に沈まない浮力を付与する空気保持部と、前記収容部内の水位の上昇によって閉じ水位の下降によって開く空気弁と、前記収容部内に出水口を有するとともに取り込んだ水を収容部の外側に向かって噴射する噴射手段が設けられていることを特徴とする推進玩具。
【請求項２】
水との接触によって気体を発生する固形状の発泡剤および外部から取り込んだ水を収容する所定容積の収容部を有し、前記発泡剤と水との接触によって発生した気体による圧力によって前記収容部内に取り込んだ水を前記収容部の外側に向かって噴射し、当該水の噴射によって生じる推進力によって水面上を進行させるように構成した推進玩具であって、
前記収容部の底部には、外部よりも収容部内の圧力が低い場合に開いて水の流入を許容し、外部よりも収容部内の圧力が高い場合に閉じて水の流入を停止させる水取り入れ弁と、収容した前記発泡剤の移動を規制する規制手段が設けられており、
前記収容部の上部には、前記収容部内の水位の上昇によって閉じ水位の下降によって開く空気弁と、前記収容部内に出水口を有するとともに取り込んだ水を収容部の外側に向かって噴射する噴射手段が設けられていることを特徴とする推進玩具。
【請求項３】
請求項２記載の推進玩具であって、
前記収容部となる所定容積の空間を内部に有した下部外殻体と、当該下部外殻体の上部に着脱可能に装着される装着体とを有し、
前記装着体には、前記空気弁、前記噴射手段、および、当該推進玩具が水に沈まない浮力を付与する空気保持部とが設けられていることを特徴とする請求項２記載の推進玩具。
【発明の詳細な説明】
【技術分野】
【０００１】
本願発明は、水面に浮かべて遊ぶ推進玩具に関するものである。
【背景技術】
【０００２】
従来、水と接触することによって気泡を発生する発泡剤を収容部に収容し、当該収容部に水を浸入させることにより発泡剤から気泡を発生させ、当該気泡の発生による収容部内の圧力上昇によって収容部内の水を外部へ噴射させ、当該水の噴射により推進させるように構成した泳動玩具（特許文献１）が知られている。
【特許文献１】実公平７−４６３公報
【発明の開示】
【発明が解決しようとする課題】
【０００３】
上記従来の泳動玩具の内部には、発泡剤の大きさに対して大きな収容部を有しており、当該収容部内に発泡剤を収容して水を取り入れるようになっている。発泡剤は、水中に置かれると気泡を発生し、当該気泡の発生に伴って収容部内を不規則に遊動する。このように収容部内で発泡剤が不規則に移動すると、発泡剤の浮力等によって泳動玩具の重心位置が変動し、傾いて進行する等、正規の姿勢を保って泳動することができないものであった。
本願発明は上記問題点に鑑みなされたものであって、本体内部の収容部において発泡剤の遊動を規制することにより、水面においてバランスを崩すことなく正規の姿勢で進行させることができる玩具を提供することを課題とする。
【課題を解決するための手段】
【０００４】
上記課題を解決するための本願請求項１記載の発明は以下に述べる構成を有する。すなわち、
水との接触によって気体を発生する固形状の発泡剤および外部から取り込んだ水を収容する所定容積の収容部を有し、前記発泡剤と水との接触によって発生した気体による圧力によって前記収容部内に取り込んだ水を前記収容部の外側に向かって噴射し、当該水の噴射によって生じる推進力によって水面上を進行させるように構成した推進玩具であって、
前記収容部となる所定容積の空間を内部に有した下部外殻体と、当該下部外殻体の上部に着脱可能に装着される装着体とを有し、
前記下部外殻体の底部には、錘と、外部よりも収容部内の圧力が低い場合に開いて水の流入を許容し、外部よりも収容部内の圧力が高い場合に閉じて水の流入を停止させる水取り入れ弁と、収容した前記発泡剤の移動を規制する規制手段が設けられており、
前記装着体には、当該推進玩具が水に沈まない浮力を付与する空気保持部と、前記収容部内の水位の上昇によって閉じ水位の下降によって開く空気弁と、前記収容部内に出水口を有するとともに取り込んだ水を収容部の外側に向かって噴射する噴射手段が設けられていることを特徴とする推進玩具。
【０００５】
また、本願請求項２記載の発明は以下に述べる構成を有する。すなわち、
水との接触によって気体を発生する固形状の発泡剤および外部から取り込んだ水を収容する所定容積の収容部を有し、前記発泡剤と水との接触によって発生した気体による圧力によって前記収容部内に取り込んだ水を前記収容部の外側に向かって噴射し、当該水の噴射によって生じる推進力によって水面上を進行させるように構成した推進玩具であって、
前記収容部の底部には、外部よりも収容部内の圧力が低い場合に開いて水の流入を許容し、外部よりも収容部内の圧力が高い場合に閉じて水の流入を停止させる水取り入れ弁と、収容した前記発泡剤の移動を規制する規制手段が設けられており、
前記収容部の上部には、前記収容部内の水位の上昇によって閉じ水位の下降によって開く空気弁と、前記収容部内に出水口を有するとともに取り込んだ水を収容部の外側に向かって噴射する噴射手段が設けられていることを特徴とする推進玩具。
【０００６】
また、本願請求項２記載の発明は以下に述べる構成を有する。すなわち、
前記収容部となる所定容積の空間を内部に有した下部外殻体と、当該下部外殻体の上部に着脱可能に装着される装着体とを有し、
前記装着体には、前記空気弁、前記噴射手段、および、当該推進玩具が水に沈まない浮力を付与する空気保持部とが設けられていることを特徴とする請求項２記載の推進玩具。
【発明の効果】
【０００７】
本願発明に係る推進玩具は、収容した発泡剤の移動を規制する構造となっているため、当該発泡剤が自由に移動して、当該発泡剤の浮力によって当該推進玩具の姿勢が崩れることなく水面を進行させることができるという効果を有している。
また、発泡剤の遊動を規制する規制部材が、発泡剤の外周を取り囲むように形成されているため、使用者にとって発泡剤を配置する場所が確認しやすいものである。
また、推進玩具の上部に浮力を有する空気保持部を有し、底部に錘を設けた構造となっているので、上記発泡剤の移動規制による作用に加えて、さらに推進玩具の姿勢が崩れるのを防ぐことができるようになっている。
本願発明に係る推進玩具は、風呂用の玩具としても使用できるものであるが、水中に没してしまうと子供が誤って踏みつけてしまう可能性がある。しかし、本願発明に係る推進玩具は、空気保持部によって水に沈まない浮力を有しているので、風呂の底に沈むことがなく、子供によって踏みつけられることがないという効果を有している。
【発明を実施するための最良の形態】
【０００８】
以下、本願発明に係る推進玩具の最良の形態を図を用いて説明する。図１は本実施の形態に係る推進玩具１の外観斜視図であり、図２は推進玩具１全体の分解斜視図であり、図３は推進玩具１の一部を構成する装着体２の分解斜視図である。
推進玩具１は、水と接することによって二酸化炭素等の気体を発生する発泡剤３と、外部から取り入れた水を収容する所定容積の収容部４を有し、当該収容部４内で発生した気体の圧力によって前記取り入れた水を外部に噴射し、当該水の噴射に伴う推進力によって水面を進行するように構成された玩具である。当該推進玩具１は、主な構成部材として、内側に前記収容部４を設けた下部外殻体５と当該下部外殻体５の上部に着脱可能に装着される前記装着体２とを有している。
【０００９】
前記下部外殻体５は、丸みを帯びた船の形状に形成された推進玩具１の下方部分を形成する部材であり、合成樹脂の一体成型によって形成されている。
下部外殻体５は、底壁１９と、当該底壁１９を囲むように上方に向かって立設された左側壁１６、右側壁１７、後部側壁１８によって構成され、当該各側壁の上端縁を開口縁として開口１５が形成された器状の部材となっている。開口１５および底壁１９は、平面視において船尾となる後方部分と比較して船首となる先頭部分が先細であり、開口１５は底壁１９より前・後（船首・船尾）方向にやや長く形成されている。また、下部外殻体５は、前記開口１５の周縁を上端縁とする左右および後部の各側壁（１６、１７、１８）および船底を構成する底壁１９によって囲まれた所定容積の空間（収容部４）を有している。各側壁の肉厚は略１〜２ｍｍ程度に形成されている。
また、後部側壁１８の下方には、２個の小孔１３が穿設されている。当該小孔１３は、収容部４の内外を連通させる孔であり、収容部４の内圧が高まった場合に、後述する噴出手段に対して補助的に水を吹き出し、推進玩具１を推進させる作用を有するものである。
【００１０】
前記下部外殻体５の底部である底壁１９の略中央には、外部に連通する開口６と当該開口６を開閉可能に塞ぐ弁体（円板２１、２２）による水取り入れ弁７が設けられている。当該水取り入れ弁７は、底壁１９に一体的に形成され、収容部４の方向に突出した円筒状のハウジング部２０を有する。当該ハウジング部２０においては、収容部４側の端部は壁部４０により塞がれているが、底壁１９側の端部は開放され開口部４１を形成しており、さらに、前記ハウジング部２０の側壁には収容部４とハウジング部２０の内部とを連通する複数の孔４２が形成されている。前記開口６は、当該複数の孔４２、前記開口部４１により収容部４と連通している。また、水取り入れ弁７は、前記ハウジング部２０内で上下
動自在に重ねて配置された２枚の円板２１、２２と、当該２枚の円板２１、２２を収容したハウジング部２０の前記開口部４１を塞ぐ蓋部材２３によって構成されている。重ねられた２枚の各円板２１、２２は、略同一の直径を有した板状体であり、上側に位置する円板２１は、少なくとも水よりも比重の重たい剛性を有する素材によって形成されており、本実施の形態では素材として鉄が用いられている。重ねられた円板の下側に位置する円板２２は弾性を有する素材によって形成されており、本実施形態ではゴム等の素材が用いられる。
前記ハウジング部２０の開口部を塞ぐ蓋部材２３には、前記円板２２よりも小径の円形孔２４が設けられている。当該円形孔２４は、外部から収容部４内に流入する水の取り入れ口となる部分であり、当該円形孔２４は前記円板２２の当接によって塞がれて収容部４内への水の流入を防止し、当接が解除されることによって収容部４内への水の流入を許容するようになっている。すなわち、円形孔２４周囲が弁座となり、当該弁座に対して円板２１、２２が弁体として当接することにより、収容部４内への水の流入を制御する開閉弁としての機能を果たしている。
【００１１】
２枚の円板２１、２２の上下動は、前記円形孔２４部分における収容部４の内側と外側との圧力差によって行われ、収容部４内の圧力が外部よりも低い場合には円板２１、２２が上昇して前記円形孔２４を介した水の流入を許容し、収容部４内の圧力が外部よりも高い場合には円板２１、２２が前記円形孔２４を塞ぎ水の流入を制限するようになっている。
また、弁体となる円板には、前述のように鉄製の円板２１とゴム製の円板２２を重ね合せたものが用いられている。なお、本実施の形態では当該鉄製の円板２１とゴム製の円板２２を分離した状態でハウジング部２０内に収容しているが、鉄製の円板２１とゴム製の円板２２を接着等により一体的に構成し収容してもよい。
【００１２】
このように剛性の高い金属である鉄製の円板２１と弾性を有したゴム製の円板２２を重ね合せて収容するのは、以下の作用効果によるものである。
弁体となる円板２１、２２は収容部４の内圧を受けて弁座となる蓋部材２３の円形孔２４周囲に押しつけられるが、弁体に剛性が無いと内圧による変形によって弁体として正常に機能しなくなるので、弁体には所定の剛性が要求される。また逆に、単に剛性が高いだけでは弁座との密着性が低くなるため、弁座との間に隙間が生じて弁としての機能が低下してしまうことになる。当該性質に鑑み、本実施の形態に係る水取り入れ弁７では、弁座となる円形孔２４周囲に接する弁体には柔軟性を有するゴム素材の円板２２を用い、収容部４の内圧を受けても当該円板２２が変形を起こさないように、円板２２の上に剛性の高い円板２１が重ねて設けられている。
【００１３】
また、水取り入れ弁７は、収容部４のわずかな圧力差でも機敏に動作し、短時間に所定量の水を取り込む必要があることから、水の取り入れ口となる円形孔２４が比較的大きく形成され、当該円形孔２４を塞ぐ円板２２も、円形孔２４の開口面積に合わせて大きく形成されている。円板２２の面積が大きくなるということは、その分受ける力が大きくなって変形の程度が大きくなるものであるが、本実施の形態においてはこのような点に鑑み、変形防止のために剛性の高い円板２１を併用している。
【００１４】
また、前述のように円板２２を鉄等の金属製としたのは、前記円板２１の変形防止とともに、当該円板２２の自重によって円板２１を円形孔２４周囲に当接させるためでもある。これは、内外との圧力差が無い場合には、初期位置として円板２１、２２が円形孔２４周囲に当接した状態とするためであり、収容部４の内圧の高まりと同時に即座に弁を閉じ、詳細には後述するように水の噴射を効率よく行わせることができるようになっている。
また、下部外殻体５の底壁１９の前後には、それぞれ錘８が取り付けられている。当該錘８は、推進玩具１の重心位置を低くして、水面に浮かべられた推進玩具１の水面での姿
勢を維持するとともに、底壁１９が常に水中に浸かっている状態を保ち収容部４内への水の取り入れを円滑に行うためである。
【００１５】
下部外殻体５の底壁１９略中央に位置する前述した前記ハウジング部２０の周囲には、当該ハウジング部２０を取り囲むように、複数の板片２５が一定の間隔を空けて配置されている。すなわち、当該板片２５によって底壁１９には上部が開口した円形の収容空間２６が形成されている。当該収容空間２６は、固形化された前記発泡剤３を収容するための空間であり、前記板片２５によって発泡剤３の前後左右方向への移動を規制するようになっているものである。なお、後述する装着体２を装着することにより、装着体２に設けられた規制部材３３の底壁４３により収容空間２６の上部も塞がれることになるため、発泡剤３の上下方向への移動も当該収容空間２６内に規制される。これら板片２５および底壁４３が発泡剤の移動を規制する規制手段となっている。また、前記各板片２５と板片２５との隙間は、ほぼガスの大半を放出し終わって発泡剤３の外形が小さくなるまでは通過できない程度の寸法に形成されている。
また、船体の中央に相当する位置に発泡剤３を保持するのは、次のような理由による。すなわち、発泡剤３が水を吸収してガスの発生を開始すると、当該ガスの発生に伴う発泡剤３の浮力の増加とガスの噴出力によって、発泡剤３が収容部４内を不規則に移動してしまい、発泡剤３が収容部４内を不規則に移動することによって船体の重心バランスが崩れ正常な姿勢を維持できなくなる現象の解消にある。このような現象の発生を防止するために発泡剤３の移動を規制する手段として、複数の板片２５等によって構成した発泡剤３の収容空間２６を設けている。
【００１６】
前述の下部外殻体５の上部には、船体の上方部分を模したデザインとして形成された装着体２が着脱可能に取り付けられるようになっている。以下、当該装着体２の構造を図３を中心に詳細に説明する。  
装着体２は、泳動玩具１が水面に浮くことができる浮力を有する所定容積の空気保持部９と、略中央に設けられた空気弁１０と、前記収容部４内に出水口１１を有するとともに取り込んだ水を収容部４の外側に向かって噴射するための噴射手段（ノズル）１２が設けられている。
装着体２は、上部分を構成する上半体２７と下部分を構成する下半体２８の接合によって形成されたものであり、当該接合によって前記所定容積の空気保持部９が内部に形成されている。上半体２７は、前記下部外殻体５の開口１５と相似形状であり、当該開口１５より若干大きい上壁４４と、当該上壁４４の周縁から上壁４４に対して略垂直下方に延設された側壁４５とからなり、上壁４４の略中央には孔２９が形成されている。また、下半体２８は、前記上半体２７の上壁４４と相似形状で若干小さい底壁４６と、当該底壁４６の周縁から略垂直上方に立設された側壁４７とからなる。底壁４６の略中央には開口４８が形成され、当該開口４８の周縁から底壁４６に対して略垂直に円筒４９が立設されている。上半体２７と下半体２８は、上半体２７の側壁４５の内面に下半体２８の側壁４７の外面が密着した状態で接合し、装着体２を形成している。このとき、孔２９と前記円筒４９は、孔２９が前記円筒４９により周囲を囲まれるようになっている。また、装着体２の内部には、上半体２７の上壁４４の内面と、下半体２８の底壁４６および側壁４７の内面、および前記円筒４９によって、少なくとも推進玩具１が水中に沈まない程度の浮力を有する所定容積の空気保持部９が形成されている。
【００１７】
装着体２の中央には、空気弁１０が設けられている。当該空気弁１０は、前記上半体２７の上壁４４に設けられた孔２９と、孔２９を取り囲むように、前記下半体２８の底壁４６の方向から前記下半体２８の底壁４６の円筒４９に装着される規制部材３３を有する。当該規制部材３３の、前記上半体２７の上壁４４と接していない側の端部は底壁４３によって塞がれている。なお、当該規制部材３３の長さは、装着体２を下部外殻体５に取り付けたとき、規制部材３３の底壁４３が、下部外殻体５の底壁１９に形成された収容空間２６の上端（すなわち、板片２５の上端縁）に届く程度に形成されている。また、規制部材３３の側壁５０には複数の開口５１が形成されており、当該複数の開口５１と前記孔２９により、前記下部外殻体５の収容部４は推進玩具１の外部と連通している。また、当該規
制部材３３内には、中空円柱形状のフロート部材３１が上下動可能に収容されており、当該フロート部材３１の前記孔２９側の端面からは、その断面が当該フロート部材３１より若干小さく前記孔２９よりも大きな円柱形状の弁体３０が立設されている。弁体３０は、前記フロート部材３１が前記規制部材３３内で上下動することにより、当該孔２９を塞ぐ位置と、当該孔２９を開放する位置とを取ることが可能となっている。
また、前記フロート部材３１は、中空状に形成されているため、水に対して浮力を有するように内部に空気保持部３２が形成されており、当該空気保持部３２の浮力によって収容部４内の水位に応じて、弁体３０を上下動させるようになっている。
【００１８】
上半体２７の上壁４４後部には上小孔５４が形成され、上小孔５４の周縁から上半体２７の上壁４４に対して略垂直下方に上円筒５５が形成されている。前記上小孔５４には上半体２７の上壁４４の外面側よりノズル１４が装着されている。また、下半体２８の底壁４６後部には底壁４６を貫通するように下円筒５６が形成されており、当該下円筒５６の上端は、前記上半体２７と前記下半体２８が接合されたとき、前記上円筒５５に接続する。下円筒５６の下端は、装着体２が下部外殻体５に取り付けられたとき、下部外殻体５の収容部４内に含まれ、出水口１１となる。ノズル１４、上小孔５４、上円筒５５、下円筒５６により、収容部４は推進玩具１の外部と連通しており、出水口１１から取り込まれた収容部４内の水は、ノズル１４から噴出する。すなわち、ノズル１４、上小孔５４、上円筒５５、下円筒５６は噴射手段１２を形成している。
【００１９】
また、上半体２７の上壁４４の外面には、前記孔２９を覆う装飾体３４が着脱可能に設けられている。本実施の形態では、装飾体は船の操縦席を模したデザインに形成された部材であり、底面（図示せず）に設けた孔を装着体２上面に設けた円形突起３５と嵌合させることにより、装着体２の上面に取り付けられるようになっている。
また、装着体２の左右両側面には、ロック手段としての機能を有する係止手段３６が回動可能に取り付けられている。係止手段３６は、円板型に形成された部材であり、外周近くに回動中心となる軸３７を設けるとともに外周の一部に切り欠き３８を設けたものである。当該係止手段の切り欠き３８は、装着体２を下部外殻体５の上部に装着した状態で、下部外殻体５の左右両側面に突出して設けられた突起３９と係合し、下部外殻体５に対する装着体２の取り外しを規制するようになっている。前記軸３７は、装着体２の左右両側面に穿設された孔４０に差し込まれて、回動自在に保持されるようになっている。
【００２０】
図４は、推進玩具１の断面図を表している。当該図４に示した状態は、推進玩具１を水に浮かべる前の状態を示している。当該状態では、収容部４の内外に水が無いため、水取り入れ弁７の円板体２１、２２は自重によって降下し、空気弁１０のフロート部材３１も自重によって降下して弁が開いた状態となっている。発泡剤３は、板片２５、および、規制部材３３の底壁４３によって囲まれた収容空間２６内に位置した状態となっている。収容部４内は、空気で満たされている。
【００２１】
図５は、推進玩具１を水に浮かべ、収容部４内に水Ｗが入り始めた状態を表している。当該図５に示した状態では、水取り入れ弁７の円板体２１、２２が水圧によって押し上げられ、開口６（円形孔２４）を介して水が収容部４内に取り込まれている。収容部４内の水位の上昇に伴って空気弁１０のフロート部材３１も上昇する。収容部４内には、水と空気が混在した状態となり、発泡剤３も水没してガスを発生し始めた状態である。
【００２２】
図６は、前記図５に示した状態からさらに水が収容部４内に取り込まれ、ガスの発生も盛んになった状態を表している。収容部４内の水位が上昇すると、フロート部材３１が上昇するため、弁体３０が孔２９を塞いだ状態、すなわち、空気弁１０が閉じた状態となり、その後、発泡剤３からのガスの発生が進むと収容部４内のガスと空気が水面を押す圧力により円板体２０、２１が開口６を塞いだ状態、すなわち、水取り入れ弁７も閉じた状態
となる。
さらに発泡剤３からのガスの発生が進み、推進玩具１の外部の気圧より収容部４内のガスと空気の圧力が高くなると、収容部４内に収容された水が出水口１１を介して押し出され、噴射手段１２としてのノズル１４から吹き出し、当該吹き出し方向とは反対の方向への推力が生じ推進玩具１を進行させるようになっている。また、発泡剤３はガスの発生に伴って不規則に移動しようとするが、板片２５、および、規制部材３３の底壁４３による規制手段の作用によって移動範囲が収容空間２６内に制限される。
【００２３】
図６に示した状態から、水の噴出により収容部４内の水位が降下すると、フロート部材３１も降下し、当該フロート部材３１の降下に伴って孔２９と弁体３０が離間する。すなわち、空気弁１０が開くため、収容部４内の空気（主にガス）の圧力が低くなり、再び外部の水圧によって水取り入れ弁７が開いて収容部４内に水が取り入れられる。そして、再び収容部４内の水位が上昇すると水取り入れ弁７と空気弁１０が閉じ、ノズル１４から水Ｗを噴出するという動作を繰り返すようになっている。
このように、収容部４に対する水の取り入れと噴出とを交互に繰り返しながら、推進玩具１を水面上で進行させるようになっている。そして、固形状の発泡剤３が消耗して小さくなるまで、船体中央付近に保持するようになっているので、ほぼ発泡剤３のガス放出が終了するまで、船体の姿勢を損なうことなく上記サイクルを繰り返しながら、推進玩具１を水面上で進行させることができるようになっている。
【図面の簡単な説明】
【００２４】
【図１】本実施の形態に係る推進玩具の外観斜視図である。
【図２】本実施の形態に係る推進玩具の分解斜視図である。
【図３】本願発明に係る推進玩具の一部を構成する装着体の分解斜視図である。
【図４】本実施の形態に係る推進玩具の断面図である。
【図５】本実施の形態に係る推進玩具の動作状態を表す断面図である。
【図６】本実施の形態に係る推進玩具の動作状態を表す断面図である。
【符号の説明】
【００２５】
１  推進玩具
２  装着体
３  発泡剤
４  収容部
５  下部外殻体
６  開口
７  水取り入れ弁
８  錘
９  空気保持部
１０  空気弁
１１  出水口
１２  噴射手段
１４  ノズル
１５  開口
１６  左側壁
１７  右側壁
１８  後部側壁
１９  底壁
２０  ハウジング部
２１、２２  円板
２３  蓋部材
２４  円形孔
２５  板片
２６  収容空間
２７  上半体
２８  下半体
２９  孔
３０  弁体
３１  フロート部材
３２  空気保持部
３３  規制部材
３４  装飾体
３５  円形突起
３６  係止手段
【図１】
2005334481.tif 000003
【図２】
2005334481.tif 000004
【図３】
2005334481.tif 000005
【図４】
2005334481.tif 000006
【図５】
2005334481.tif 000007
【図６】
2005334481.tif 000008